(57)【要約】【課題】筒状の導波管でカメラのレンズ部の開口部を覆うことにより視界を確保した状態で高いシールド特性を得るカメラ用電波シールド装置を提供する。【解決手段】カメラ１のレンズ部１１を包囲する導波管５より成るカメラ用電波シールド装置において、導波管５の基部を金属シールド板７に固定するか、或いは半開口シールドケース４’に固定するか、或いは閉塞シールドケース４に固定し、或いは、導波管に縦方向に金属板隔壁を形成して導波管を分割したカメラ用電波シールド装置。【選択図】  図１
2004320133.tif 000002
【特許請求の範囲】
【請求項１】
カメラのレンズ部を包囲する導波管より成ることを特徴とするカメラ用電波シールド装置。
【請求項２】
請求項１に記載されるカメラ用電波シールド装置において、
導波管の基部を金属シールド板に固定するか、或いは半開口シールドケースに固定するか、或いは閉塞シールドケースに固定したことを特徴とするカメラ用電波シールド装置。
【請求項３】
請求項１および請求項２の内の何れかに記載されるカメラ用電波シールド装置において、
導波管に縦方向に金属板隔壁を形成して導波管を分割したことを特徴とするカメラ用電波シールド装置。
【請求項４】
カメラを包囲する導波管シールドケースより成ることを特徴とするカメラ用電波シールド装置。
【請求項５】
請求項４に記載されるカメラ用電波シールド装置において、
カメラのレンズ部を導波管より包囲したことを特徴とするカメラ用電波シールド装置。
【発明の詳細な説明】
【０００１】
【産業上の利用分野】
この発明は、カメラ用電波シールド装置に関し、特に、カットオフ導波管でカメラのレンズ部の開口部を覆うことにより視界を確保した状態で高いシールド特性を得るカメラ用電波シールド装置に関する。
【０００２】
【従来の技術】
従来例を図１２を参照して説明する。
図１２において、１はディジタルカメラ、赤外線カメラの如き電子部品を構成要素とし、電子的に操作制御されるする電子的なカメラを示し、１１はそのレンズ部を示す。このレンズ部１１は、側壁１２の環状固定部１２１に固定されている。２は照射アンテナを示す。３は照射対象物を示す。
照射アンテナ２から高電力の電波を放射して生成される強電界に照射対象物３を曝露して加熱し、その状態を観測、測定、試験することが行われている。この曝露試験においては測定装置としてカメラ１を使用し、強電界の空間に曝さている照射対象物３を撮影してその状態を観測、測定する。従って、カメラ１も照射対象物３と共通の強電界に曝さている。
【０００３】
カメラ１が上述した通りに強電界に曝されると、カメラ１は誤動作する恐れがある。これはカメラ１のイミュニティを超えた強度の電界に依るものであり、この状況の下においてはカメラ１に電波シールド装置を施す必要がある。
図１３を参照して電波シールド装置の概念を説明する。
図１３において、４は電波シールド装置を構成するシールドケースを示す。このシールドケース４は閉じた箱形の電波シールドを構成しており、レンズ部１１を含むカメラ１全体を包囲している。この従来例の如く電波シールドされるべき機器がカメラ１である場合、照射対象物３から出射する光は、電波シールドケース４に遮断されて、カメラ１のレンズ部１１の開口部を介して取り込むことができないので、閉じた箱形の電波シールドケース４をこのまま使用する訳には行かない。
【０００４】
図１４を参照するに、これは図１３における電波シールドケース４におけるカメラ１のレンズ部１１の開口部に対応するシールド側壁４１の一部にレンズ部１１に対向して開口４１１を穿設し、照射対象物３から出射する光をレンズ部１１に取り込むことができる構成としたものである。
図１５を参照するに、これも図１４の従来例と同様にレンズ部１１に対応するシールド側壁４１の一部に開口４１１を穿設しており、ここからレンズ部１１を突出露出せしめて照射対象物３から出射する光をレンズ部１１に受光することができる構成としたものである。なお、カメラを電磁シールドする技術自体は一般に公知である（特許文献１，２参照）。
【０００５】
【特許文献１】
特開平０８−１８６３８９号公報
【特許文献２】
特開平０９−１７２２９３号公報
【０００６】
【発明が解決しようとする課題】
以上の通り、図１４および図１５の電波シールドケース４は、レンズ部１１に対応する開口４１１を電波シールドケース４に穿設し、カメラ１のレンズ部１１以外の部分を電波シールドケース４により覆うことにより、或る程度のシールド効果を得ることができるというに過ぎない。ところで、照射アンテナ２から高出力電力の電波を放射して生成される強電界に照射対象物３を曝露して照射対象物３を加熱し、その映像、温度、その他の状態を間近のカメラ１により撮影して観測、測定しているが、電界が極めて強いところからカメラ１の電波シールドが不充分であると、精度の高い観測、測定は困難となる。
【０００７】
この発明は、筒状導波管でカメラのレンズ部の開口部を覆うことにより視界を確保した状態で高いシールド特性を得る、以上の困難を解消したカメラ用電波シールド装置を提供するものである。
【０００８】
【課題を解決するための手段】
請求項１：カメラ１のレンズ部１１を包囲する導波管５より成るカメラ用電波シールド装置を構成した。
請求項２：請求項１に記載されるカメラ用電波シールド装置において、導波管５の基部を金属シールド板７に固定するか、或いは半開口シールドケース４’に固定するか、或いは閉塞シールドケース４に固定したカメラ用電波シールド装置を構成した。
請求項３；請求項１および請求項２の内の何れかに記載されるカメラ用電波シールド装置において、導波管５に縦方向に金属板隔壁６０を形成して導波管５を分割したカメラ用電波シールド装置を構成した。
【０００９】
請求項４：カメラ１を包囲する導波管シールドケース４００より成るカメラ用電波シールド装置を構成した。
請求項５：請求項４に記載されるカメラ用電波シールド装置において、カメラ１レンズ部１１を導波管５より包囲したカメラ用電波シールド装置を構成した。
【００１０】
【発明の実施の形態】
この発明の実施の形態を図の実施例を参照して説明する。実施例において、従来例と共通する部材には共通する参照符合を付与している。
図１を参照して第１の実施例を説明する。
第１の実施例は、図１５の従来例において、電波シールドケース４から突出露出するレンズ部１１を金属材料より成る筒状導波管５により包囲したものに相当する。
筒状導波管５は開口面積を一定のまま筒状に延伸形成した構造としている。この筒状導波管５は、閉塞した電波シールドケース４のシールド側壁４１にレンズ部１１に対応した開口４１１の周縁に取り付け固定されている。これにより電波シールドケース４にカメラ１を収容した際に、レンズ部１１は筒状導波管５内において筒状導波管５と同軸に延伸、包囲された状態になる。筒状導波管５は端部が開口しているので、レンズ部１１が電波シールドケース４により視界を遮られることはない。ところで、この筒状導波管５は、その筒の直径を照射される電波の半波長以下に設定することにより、外部から開口を介して管内に進入した電波を管内において急激に減衰せしめる。従って、筒状導波管５の開口を介して管内に進入した電波は電波シールドケース４に収容されるカメラ１本体にまで到達することはない。開口を介して進入する光を遮らない範囲で、筒状導波管５の直径はより小さく、長さはより長く設計すると、電波シールド効果は向上する。
【００１１】
図２を参照して第２の実施例を説明する。第２の実施例は、図１の第１の実施例が筒状導波管５に包囲された状態のレンズ部１１を含めて電波シールドケース４に収容されたものに相当する。第２の実施例においては、筒状導波管５は、側壁１２に形成される環状固定部１２１と同心の筒状導波管固定部１２２に、レンズ部１１と同軸に固定されている。第２の実施例も、図１４の従来例と同様に、レンズ部１１に対応するシールド側壁４１の一部に開口４１１を穿設しており、これを介して照射対象物３から出射する光をレンズ部１１に受光することができる構成とされている。筒状導波管５に包囲された状態のレンズ部１１も電波シールドケース４に収容された分だけ、第１の実施例と比較して電波シールド効果は向上する。
【００１２】
図３を参照して第３の実施例を説明する。第３の実施例は、第１の実施例および第２の実施例において、筒状導波管５の横断面形状、寸法、構造を放射される電波の周波数に対応して変更し、筒状導波管５のカットオフ周波数を調整したものに相当する。ここで、図３（ａ）はカメラ１或いは電波シールドケース４に固定された筒状導波管５の断面５０を示す図である。図３（ｂ）は筒状導波管５の円形断面５１を示し、図３（ｃ）は筒状導波管５の方形断面５２を示し、図３（ｄ）は筒状導波管５の横長長方形断面５３を示し、図３（ｅ）は筒状導波管５の縦長長方形断面５４を示す。図３（ｆ）は、方形断面５２の筒状導波管５に金属板隔壁６０を縦方向に形成して筒状導波管５の断面を左右２領域に２分割したものを示す。図３（ｇ）は、図３（ｆ）の筒状導波管５に、更に、金属板隔壁６１を横方向にも形成して筒状導波管５の断面を上下左右４領域に分割したものを示す。
【００１３】
筒状導波管５の横断面形状、構造を上述の如く変更、或いは分割することにより、筒状導波管５のカットオフ周波数を放射される電波の周波数に対応して広範囲に調整設定することができ、電波シールド効果を向上する。
図４を参照して第４の実施例を説明する。図４において、７は金属シールド板であり、レンズ部１１が位置決めされる側壁１２に対応して配置される。金属シールド板７の一部には、レンズ部１１に対応する開口７１が貫通する穿設されている。そして、金属シールド板７の開口７１の周縁には筒状導波管５が取り付け固定されている。即ち、第４の実施例は、金属シールド板７とその開口７１周縁に取り付けられた筒状導波管５によりカメラ１を電波シールドしている。
【００１４】
カメラ１のレンズ部１１は、電波照射される照射対象物３とこの照射電波を発生する照射アンテナ２とが位置決めされる側壁１２の側に配置されているので、側壁１２の側のみに金属シールド板７を対応して配置することによっても、波長の短い電波を充分に遮蔽することができる。
図９を参照するに、これは図４の実施例について、計算により求めた電界分布を示す。図９においては、図示説明を簡単化する観点から、筒状導波管５の開口面の法線方向から平面波が到来した場合の断面における電界強度の例を示している。これにより、金属材料より成る筒状導波管５の内部に電波が進入しづらいことを認識することができる。筒状導波管５および金属シールド板７を含むシールド装置の近傍の領域ａは電界強度の最も低い領域を示し、領域ｂは電界強度の最も高い領域を示す。即ち、電界強度は最も高い領域ｂから最も低い領域ａに到るまで徐々に減少し、筒状導波管５を介して電波が進入しづらいこと示している。
【００１５】
図１０および図１１を参照するに、図１０は金属材料より成る筒状導波管による電波シールド特性測定実験装置の概略を示す図であり、図１１は図４の実施例について実施した電波シールド特性測定実験結果を示す図である。ネットワークアナライザ８１に照射アンテナ２と電界センサ８２とを接続したところを示す図である。
図１１（ａ）は筒状導波管５を使用しない場合の結果を示し、図１１（ｂ）は筒状導波管５を使用した場合の結果を示す。図１１（ａ）および図１１（ｂ）において、上側の（イ）はアンテナに対する電力の入力効率を表すインピーダンス特性を示し、下側の（ロ）は電界センサ８２で受信した電界強度のレベルを示す図である。上側の（イ）より図１１（ａ）、（ｂ）共に▽で示される周波数１．５ＧＨｚにおいて、効率良く電波の放射ができている。図１１（ａ）と図１１（ｂ）とを比較するに、筒状導波管５を使用した場合は、使用しない場合と比較して、周波数１．５ＧＨｚにおいて約２５ｄＢ程度の遮断特性が得られることが認識される。
【００１６】
図５を参照して第５の実施例を説明する。これは図１の第１の実施例における電波シールドケース４のレンズ部１１が位置決めされる前半部に対向する後半部の一部を側壁を含み除去、開放した後半部開放電波シールドケース４’とされている。これにより、カメラ１の後半部は露出している。即ち、第５の実施例のシールドケースは、図１の第１の実施例の閉じた電波シールドケース４と図４の第４の実施例の単なる金属シールド板７の中間の構成を有している。
図６を参照して第６の実施例を説明する。上述した通り、筒状導波管は、その筒の直径を電波の半波長以下に設定することにより、外部から開口を介して管内に進入した電波を管内において急激に減衰せしめることができるが、電波シールドされるべきカメラ１の外形、寸法および使用される電波の半波長の如何によっては、カメラ１をレンズ部１１を含む全体を金属材料より成る導波管シールドケース４００内に収容する構成を採用することができる。即ち、導波管シールドケース４００の形状寸法を適正に設計しさえすれば、極く簡単容易な板金加工により電波シールドを実施することができる。
【００１７】
図７を参照して第７の実施例を説明する。これはカメラ１のレンズ部１１のみを筒状導波管５を付与して包囲した極く単純な電波シールドであるが、これによっても必要な電波遮蔽効果を発揮する。
図８を参照して第８の実施例を説明する。これは図７の第７の実施例に更に図６の第６の実施例の導波管シールドケース４００を付加したものに相当する。従って、レンズ部１１のみに筒状導波管５を付与したことによる電波遮蔽効果と、カメラ１をレンズ部１１を含む全体を導波管シールドケース４００内に収容したことによる電波遮蔽効果の相乗効果を発揮する。
【００１８】
【発明の効果】
上述した通りであって、この発明によれば、強電界中において各種の電子的なカメラによる写真撮影を実行して、精度の高い観測、測定を実施することができる。
【図面の簡単な説明】
【図１】第１の実施例を説明する図。
【図２】第２の実施例を説明する図。
【図３】第３の実施例を説明する図。
【図４】第４の実施例を説明する図。
【図５】第５の実施例を説明する図。
【図６】第６の実施例を説明する図。
【図７】第７の実施例を説明する図。
【図８】第８の実施例を説明する図。
【図９】図４の実施例について、計算により求めた電界分布を示す図。
【図１０】電波シールド特性測定実験装置の概略を示す図。
【図１１】図４の実施例について実施した電波シールド特性測定実験結果を示す図。
【図１２】従来例を説明する図。
【図１３】電波シールドの概念を説明する図。
【図１４】他の従来例を説明する図。
【図１５】更なる他の従来例を説明する図。
【符号の説明】
１  カメラ                      １１  レンズ部
１２  側壁                      １２１  環状固定部
１２２  筒状導波管固定部              ２  照射アンテナ
３  照射対象物                    ４  電波シールドケース
４００  導波管シールドケース        ４１  シールド側壁
４１１  開口                          ５  筒状導波管
５０  断面                        ５１  円形断面
５２  方形断面                    ５３  横長長方形断面
５４  縦長長方形断面              ６０  金属板隔壁
６１  金属板隔壁                    ７  金属シールド板
７１  開口                          ８  電波シールド室
８１  ネットワークアナライザ      ８２  電界センサ
【図１】
2004320133.tif 000003
【図２】
2004320133.tif 000004
【図３】
2004320133.tif 000005
【図４】
2004320133.tif 000006
【図５】
2004320133.tif 000007
【図６】
2004320133.tif 000008
【図７】
2004320133.tif 000009
【図８】
2004320133.tif 000010
【図９】
2004320133.tif 000011
【図１０】
2004320133.tif 000012
【図１１】
2004320133.tif 000013
【図１２】
2004320133.tif 000014
【図１３】
2004320133.tif 000015
【図１４】
2004320133.tif 000016
【図１５】
2004320133.tif 000017